(57)【要約】【課題】家財そのものを買い替えることなく雰囲気に変化をもたらす。【解決手段】カーテンポール１は、透明体又は半透明体からなる外装部材である外筒１０と、外筒１０の内側に取外し可能に設けられ、外筒１０を介して露呈する装飾が表側に施されたシート１１と、シート１１を当該シート１１の裏側から支持する支持部材であり、外筒１０の内径よりも小さい外径を有する芯材１２と、外筒１０及び芯材１２の双方の端部をまとめて固定するキャップ１３と、を備えている。【選択図】図２
2017164004.tif 000002
【特許請求の範囲】
【請求項１】
透明体又は半透明体からなる外装部材と、
前記外装部材の内側又は裏側に取外し可能に設けられ、前記外装部材を介して露呈する装飾が表側に施されたシートと、
前記シートを該シートの裏側から支持する支持部材と、を備えていることを特徴とする
家財（コップ及びキャリーケースを除く。）。
【請求項２】
カーテンポールであり、
前記外装部材として、外筒を備え、
前記支持部材として、前記外筒の内径よりも小さい外径を有する芯材を備えていることを特徴とする
請求項１に記載の家財。
【請求項３】
前記外筒及び前記芯材の双方の端部をまとめて固定するキャップを備え、
前記キャップは、前記外筒の端部が嵌まる環状の溝である第１嵌合部と、前記第１嵌合部と同心の位置に、前記芯材の端部が嵌まる環状の溝又は丸穴である第２嵌合部と、を有していることを特徴とする
請求項２に記載の家財。
【請求項４】
ゴミ箱であり、
前記支持部材として、ゴミを収容する内筒を有していることを特徴とする
請求項１に記載の家財。
【請求項５】
傘立てであり、
前記支持部材として、傘を収容する内筒を有していることを特徴とする
請求項１に記載の家財。
【請求項６】
フォトフレームであり、
前記外装部材として、枠体を備え、
前記支持部材として、裏板を備えていることを特徴とする
請求項１に記載の家財。
【発明の詳細な説明】
【技術分野】
【０００１】
本発明は、カーテンポール、ゴミ箱、傘立て、フォトフレーム（写真立て）等の家財に関する。
【背景技術】
【０００２】
従来の家財は、既製品の中から選ばれることが多い（例えば、特許文献１参照）。
【先行技術文献】
【特許文献】
【０００３】
【特許文献１】特開２００４−３６００８１号公報（段落［０００４］参照）
【発明の概要】
【発明が解決しようとする課題】
【０００４】
家財を既製品の中から選んだ場合、新居への引越しや気分転換などで雰囲気に変化を望むときに、家財を買い替える必要がある。
【０００５】
本発明は、上記課題を鑑みてなされたものであり、家財そのものを買い替えることなく雰囲気に変化をもたらすことを可能にすることを目的とする。
【課題を解決するための手段】
【０００６】
（１）本発明は、透明体又は半透明体からなる外装部材と、前記外装部材の内側又は裏側に取外し可能に設けられ、前記外装部材を介して露呈する装飾が表側に施されたシートと、前記シートを該シートの裏側から支持する支持部材と、を備えていることを特徴とする家財（コップ及びキャリーケースを除く。）である。
【０００７】
（２）本発明はまた、カーテンポールであり、前記外装部材として、外筒を備え、前記支持部材として、前記外筒の内径よりも小さい外径を有する芯材を備えていることを特徴とする上記（１）に記載の家財である。
【０００８】
（３）本発明はまた、前記外筒及び前記芯材の双方の端部をまとめて固定するキャップを備え、前記キャップは、前記外筒の端部が嵌まる環状の溝である第１嵌合部と、前記第１嵌合部と同心の位置に、前記芯材の端部が嵌まる環状の溝又は丸穴である第２嵌合部と、を有していることを特徴とする上記（２）に記載の家財である。
【０００９】
（４）本発明はまた、ゴミ箱であり、前記支持部材として、ゴミを収容する内筒を有していることを特徴とする上記（１）に記載の家財である。
【００１０】
（５）本発明はまた、傘立てであり、前記支持部材として、傘を収容する外筒を有していることを特徴とする上記（１）に記載の家財である。
【００１１】
（６）本発明はまた、フォトフレームであり、前記外装部材として、枠体を備え、前記支持部材として、裏板を備えていることを特徴とする上記（１）に記載の家財である。
【発明の効果】
【００１２】
本発明の上記（１）〜（６）に記載の家財によれば、家財そのものを買い替えることなく雰囲気に変化をもたらすことができる。
【００１３】
そして、「Choose & Make!!」（既存のものから選ぶのではなくフレームと素材を購入して、自分で自分の好きなように作成、変更できる！）というコンセプトを実現することができる。すなわち、絵画のキャンパスのように、ただ、２次元ではなく、３次元で、自分の感性で好きな作品を作って、生活を楽しむことができる。また、低価格高品質で商品を提供するインテリア・家具・手芸品・雑貨などの小売店や、１００円均一で商品を提供する小売店などで販売されている装飾品を用いて製作することができ、コスト面で優れている。さらに、手軽で安価に、かつ、既存の装飾品を用いて、自分（最終消費者自身）で取り換えたり、作成したりすることができる。ひいては、世界中の人がワクワクとささやかでも自分の人生を自分で選んで、楽しむことができる。誰も傷つけることもなく、単純にささやかに人生をみんなでもっと楽しむことができる。
【図面の簡単な説明】
【００１４】
【図１】本発明の第１実施形態に係るカーテンポールの正面図である。
【図２】図１のカーテンポールの分解正面図である。
【図３】図１の矢印III−III方向に視たカーテンポールの断面図である。
【図４】カーテンポールを構成するキャップの外観斜視図である。
【図５】本発明の第２実施形態に係るゴミ箱の正面図である。
【図６】図５のゴミ箱の分解正面図である。
【図７】本発明の第３実施形態に係る傘立ての正面図である。
【図８】図７の傘立ての分解正面図である。
【図９】本発明の第４実施形態に係るフォトフレームの正面図である。
【図１０】図９のフォトフレームの分解正面図である。
【発明を実施するための形態】
【００１５】
以下、図面を参照して、本発明の実施形態に係る家財（コップ及びキャリーケースを除く。）について詳細に説明する。
【００１６】
［第１実施形態］まず、図１〜図４を用いて、カーテンポール１の構成について説明する。図１は、カーテンポール１の正面図である。図２は、カーテンポール１の分解正面図である。図３は、図１の矢印III−III方向に視たカーテンポール１の断面図である。図４は、カーテンポール１を構成するキャップ１３の外観斜視図である。
【００１７】
なお、図１〜図４及び以降の各図において、一部の構成を適宜省略して、図面を簡略化する。そして、図１〜図４及び以降の各図において、部材の大きさ、形状、厚みなどを適宜誇張して表現する。
【００１８】
図１〜図３に示すカーテンポール１は、カーテンをつるすリングが引っ掛けられ、当該リングが滑るレールであり、窓枠の上端に沿って設置されるものである。具体的に、カーテンポール１は、外筒１０と、シート１１と、芯材１２と、一対のキャップ１３等を備えている。
【００１９】
外筒１０は、アクリル樹脂等の透明体又は半透明体からなる外装部材であり、内部（外筒１０の内側）を露呈させる。この外筒１０は、円管形状を有する。外筒１０の内部には、シート１１及び芯材１２が取外し可能に挿入されている。外筒１０の両端には、一対のキャップ１３が取り付けられている。具体的に、外筒１０の端部は、キャップ１３の第１嵌合部１４（図４参照）に嵌め込まれている。
【００２０】
シート１１は、長尺状の紙（海外向けには和紙が好適。）、布、フィルムなどを円管形状に丸めたものであり、芯材１２と共に、外筒１０の内側に取外し可能に挿入されている。具体的に、シート１１は、外筒１０と、外筒１０の内側に取外し可能に挿入されている芯材１２と、の間に形成されている隙間に、取外し可能に挿入されている。このようなシート１１は、交換可能なものである。シート１１の表側には、外筒１０を介して露呈する装飾（図示省略）が施されている。シート１１の表側に施されている装飾とは、模様若しくは色彩又はこれらの結合のことを意味する。
【００２１】
芯材１２は、シート１１を当該シート１１の裏側から支持する支持部材であり、外筒１０の内径よりも小さい外径を有する円管（又は丸棒）である。この芯材１２は、シート１１と共に、外筒１０の内側に取外し可能に挿入されている。芯材１２の両端には、一対のキャップ１３が取り付けられている。具体的に、芯材１２の端部は、キャップ１３の第２嵌合部１５（図４参照）に嵌め込まれている。
【００２２】
キャップ１３は、外筒１０及び芯材１２の双方の端部をまとめて固定するものである。図４に示すように、キャップ１３は、外筒１０（図１〜図３参照）が嵌まる環状の溝である第１嵌合部１４と、この第１嵌合部１４と同心の位置に、芯材１２（図１〜図３参照）の端部が嵌まる環（又は丸穴）である第２嵌合部１５等が形成されている。詳細な図示は省略するが、このようなキャップ１３は、第１嵌合部１４に外筒１０の端部が嵌め込まれており、第２嵌合部１５に芯材１２の端部が嵌め込まれている。このようなキャップ１３により、外筒１０及び芯材１２との間に常時所定の隙間を形成している。
【００２３】
このように、カーテンレール１によれば、シート１１を交換するだけで、カーテンレールそのものを買い替えることなく雰囲気に変化をもたらすことができる。
【００２４】
そして、「Choose & Make!!」（既存のものから選ぶのではなくフレームと素材を購入して、自分で自分の好きなように作成、変更できる！）というコンセプトを実現することができる。すなわち、絵画のキャンパスのように、ただ、２次元ではなく、３次元で、自分の感性で好きな作品を作って、生活を楽しむことができる。また、低価格高品質で商品を提供するインテリア・家具・手芸品・雑貨などの小売店や、１００円均一で商品を提供する小売店などで販売されている装飾品を用いて製作することができ、コスト面で優れている。さらに、手軽で安価に、かつ、既存の装飾品を用いて、自分（最終消費者自身）で取り換えたり、作成したりすることができる。ひいては、世界中の人がワクワクとささやかでも自分の人生を自分で選んで、楽しむことができる。誰も傷つけることもなく、単純にささやかに人生をみんなでもっと楽しむことができる。
【００２５】
［第２実施形態］次に、図５及び図６を用いて、ゴミ箱２の構成について説明する。図５は、ゴミ箱２の正面図である。図６は、ゴミ箱２の分解正面図である。
【００２６】
図５及び図６に示すゴミ箱２は、外筒２０と、シート２１と、内筒２２等を備えている。
【００２７】
外筒２０は、アクリル樹脂等の透明体又は半透明体からなる外装部材であり、内部（外筒２０の内側）を露呈させる。この外筒２０は、下方から上方に向かって拡径するテーパ形状で有底の円筒（外形が円錐台）となるように構成されている。外筒２０の内部には、シート２１及び内筒２２が取外し可能に挿入されている。
【００２８】
シート２１は、円錐台の側面となる形状の紙（海外向けには和紙が好適。）、布、フィルムなどを、円錐台の側面となるように丸めたものであり、内筒２２と共に、外筒２０の内側に取外し可能に挿入されている。具体的に、シート２１は、外筒２０と、外筒２０の内側に取外し可能に挿入されている内筒２２と、の間に形成されている隙間に、取外し可能に挿入されている。このようなシート２１は、交換可能なものである。シート２１の表側には、外筒２０を介して露呈する装飾（図示省略）が施されている。シート２１の表側に施されている装飾とは、模様若しくは色彩又はこれらの結合のことを意味する。
【００２９】
内筒２２は、ゴミを収容する収容部材であると共に、シート２１を当該シート２１の裏側から支持する支持部材であり、下方から上方に向かって拡径するテーパ形状で有底の円筒（外形が円錐台）となるように構成されている。この内筒２２は、外筒２０の内径よりも小さい外径を有し、シート２１と共に、外筒２０の内側に取外し可能に挿入されている。
【００３０】
このように、ゴミ箱２によれば、シート２１を交換するだけで、ゴミ箱そのものを買い替えることなく雰囲気に変化をもたらすことができる。
【００３１】
なお、ここでは、第１実施形態のカーテンポール１（図１〜図３参照）と同様の効果についての説明は適宜省略している。また、以降に説明する各実施形態についても、第１実施形態のカーテンポール１と同様の効果についての説明は適宜省略する。
【００３２】
［第３実施形態］次に、図７及び図８を用いて、傘立て３の構成について説明する。図７は、傘立て３の正面図である。図８は、傘立て３の分解正面図である。
【００３３】
図７及び図８に示す傘立て３は、外筒３０と、シート３１と、内筒３２等を備えている。
【００３４】
外筒３０は、アクリル樹脂等の透明体又は半透明体からなる外装部材であり、内部（外筒３０の内側）を露呈させる。この外筒３０は、有底の円筒となるように構成されている。外筒３０の内部には、シート３１及び内筒３２が取外し可能に挿入されている。
【００３５】
シート３１は、矩形状の紙（海外向けには和紙が好適。）、布、フィルムなどを円管形状に丸めたものであり、内筒３２と共に、外筒３０の内側に取外し可能に挿入されている。具体的に、シート３１は、外筒３０と、外筒３０の内側に取外し可能に挿入されている内筒３２と、の間に形成されている隙間に、取外し可能に挿入されている。このようなシート３１は、交換可能なものである。シート３１の表側には、外筒３０を介して露呈する装飾（図示省略）が施されている。シート３１の表側に施されている装飾とは、模様若しくは色彩又はこれらの結合のことを意味する。
【００３６】
内筒３２は、傘を収容する収容部材であると共に、シート３１を当該シート３１の裏側から支持する支持部材であり、有底の円筒となるように構成されている。この内筒３２は、外筒３０の内径よりも小さい外径を有し、シート３１と共に、外筒３０の内側に取外し可能に挿入されている。
【００３７】
このように、傘立て３によれば、シート３１を交換するだけで、傘立てそのものを買い替えることなく雰囲気に変化をもたらすことができる。
【００３８】
［第４実施形態］次に、図９及び図１０を用いて、フォトフレーム４の構成について説明する。図９は、フォトフレーム４の正面図である。図１０は、フォトフレーム４の分解正面図である。
【００３９】
フォトフレーム４は、枠体４０と、シート４１と、裏板４２と、ヒンジ４３と、脚（図示省略）等を備えている。
【００４０】
枠体４０は、アクリル樹脂等の透明体又は半透明体からなる外装部材であり、内部（枠体４０の裏側）を露呈させる。この枠体４０は、矩形状の枠であり、その一辺に設けられたヒンジ４３によって裏板４２に回動可能に連結されている。枠体４０と裏板４２との間には、シート４１及び写真（図示省略）が取外し可能に設けられている。
【００４１】
シート４１は、矩形枠形状（又は矩形状）の紙（海外向けには和紙が好適。）、布、フィルムなどであり、写真と共に、枠体４０の裏側に取外し可能に設けられている。具体的に、シート４１は、写真と共に、枠体４０と裏板４２との間に取外し可能に設けられている。このようなシート４１は、交換可能なものである。シート４１の表側には、枠体４０を介して露呈する装飾（図示省略）が施されている。シート４１の表側に施されている装飾とは、模様若しくは色彩又はこれらの結合のことを意味する。
【００４２】
裏板４２は、シート４１を当該シート４１の裏側から支持する支持部材であり、矩形状に構成されている。この裏板４２は、枠体４０の外形と略同じ大きさの外形を有し、その一辺に設けられたヒンジ４３によって枠体４０に回動可能に連結されている。
【００４３】
このように、フォトフレーム４によれば、シート４１を交換するだけで、フォトフレームそのものを買い替えることなく雰囲気に変化をもたらすことができる。
【００４４】
本発明は、上記実施形態に限られるものではなく、その趣旨及び技術思想を逸脱しない範囲で種々の変形が可能である。すなわち、各構成の位置、大きさ、長さ、数量、形状、材質などは適宜変更できる。
【００４５】
すなわち、上記実施形態では、カーテンレール１、ゴミ箱２、傘立て３及びフォトフレーム４の場合を例に説明したが、本発明はこれに限定されるものではなく、椅子（背もたれ部分）、お風呂の椅子（バスチェア）、手桶、額縁、その他の家財（コップ及びキャリーケースを除く。）に採用することができる。
【００４６】
あるいは、上記第１実施形態では、外筒１０及び芯材１２の両端部を一対のキャップ１３で固定する場合を例に説明したが、本発明はこれに限定されるものではなく、外筒１０及び芯材１２の一方の端部を予め閉じておくように固定しておくと共に、他方の端部をキャップ１３又は符号１３以外のキャップ（図示省略）で固定するようにしてもよい。
【００４７】
あるいは、上記各実施形態では、シート１１，２１，３１，４１を用いて装飾を行う場合を例に説明したが、本発明はこれに限定されるものではなく、シートに代え、又はシートと共に、液体、ラメ、スパンコール等を用いて装飾を行うようにしてもよい。液体を用いる場合は、パッキンやキャップを防水仕様とすることで、容易に実現することができる。
【符号の説明】
【００４８】
１  カーテンポール（家財）
１０  外筒（外装部材）
１１  シート
１２  芯材（支持部材）
１３  キャップ
１４  第１嵌合部
１５  第２嵌合部
２  ゴミ箱（家財）
２０  外筒（外装部材）
２１  シート
２２  内筒（支持部材）
３  傘立て（家財）
３０  外筒（外装部材）
３１  シート
３２  内筒（支持部材）
４  フォトフレーム（家財）
４０  枠体（外装部材）
４１  シート
４２  裏板（支持部材）
【図１】
2017164004.tif 000003
【図２】
2017164004.tif 000004
【図３】
2017164004.tif 000005
【図４】
2017164004.tif 000006
【図５】
2017164004.tif 000007
【図６】
2017164004.tif 000008
【図７】
2017164004.tif 000009
【図８】
2017164004.tif 000010
【図９】
2017164004.tif 000011
【図１０】
2017164004.tif 000012